(57)【要約】【課題】バリア羽根が閉じきる際に発生する衝突音を抑制できるレンズバリア装置を提供する。【解決手段】第１のバリア羽根４を、第１の付勢部材３で閉じるように付勢し、第１のバリア羽根４と、レンズ前面の開口部に回転可能に取り付けられたバリア駆動部材２との間に構成された開閉操係止機構により、バリア駆動部材２の回転動作に連動して第１のバリア羽根４を開動作させるように構成し、第１のバリア羽根４の光軸方向に隣接して、第２のバリア羽根５を配置し、第２のバリア羽根５の外形に沿った外側端辺部分に、第３のバリア羽根７の外形に沿った内側端辺部分が摺接するように配置し、第３のバリア羽根７を第２の付勢部材６で閉じるように付勢することによって、当該第２の付勢部材６が間接的に第２のバリア羽根５を閉じるように付勢し、第２の付勢部材６と、バリア駆動部材２との間に構成された開閉制御用のカム機構により、バリア駆動部材２の回転動作に連動して第２の付勢部材６と第３のバリア羽根７とを開動作させるように構成する。【選択図】図１
2010277026.tif 000002
【特許請求の範囲】
【請求項１】
レンズ前面の開口部を開閉可能に塞ぐための第１のバリア羽根、第２のバリア羽根及び第３のバリア羽根を備えたレンズバリア装置において、
前記第１のバリア羽根を、第１の付勢部材で閉じるように付勢し、
前記第１のバリア羽根と、前記レンズ前面の開口部に回転可能に取り付けられたバリア駆動部材との間に構成された開閉操係止機構により、当該バリア駆動部材の回転動作に連動して前記第１のバリア羽根を開動作させるように構成し、
前記第１のバリア羽根の光軸方向に隣接して、前記第２のバリア羽根を配置し、
前記第２のバリア羽根の外形に沿った外側端辺部分に、前記第３のバリア羽根の外形に沿った内側端辺部分が摺接するように配置し、
前記第３のバリア羽根を第２の付勢部材で閉じるように付勢することによって、当該第２の付勢部材が間接的に前記第２のバリア羽根を閉じるように付勢し、
前記第２の付勢部材と、前記バリア駆動部材との間に構成された開閉制御用のカム機構により、当該バリア駆動部材の回転動作に連動して前記第２の付勢部材と前記第３のバリア羽根とを開動作させるように構成したことを特徴とするレンズバリア装置。
【請求項２】
前記開閉制御用のカム機構は、
前記バリア駆動部材の遮光部に形成された開閉操作用カム溝と、
前記開閉操作用カム溝に遊挿されるよう、前記第２の付勢部材に突設された従動ピンと、を備え、
前記バリア駆動部材が回転駆動されたときに、前記開閉操作用カム溝に沿って前記従動ピンが従動することにより、前記第２の付勢部材を開動作させるように構成したことを特徴とする請求項１記載のレンズバリア装置。
【発明の詳細な説明】
【技術分野】
【０００１】
本発明はデジタルカメラ、銀塩カメラやビデオカメラ等のレンズを保護するために装着されるレンズバリア装置に関するものである。
【背景技術】
【０００２】
一般に、カメラ等のレンズを保護するために装着されるレンズバリア装置は、主に二種類ある。一つ目は、カメラ本体に取り付けられたカバーを閉めることによりレンズ鏡筒の全体または一部を覆う方式である。二つ目は、沈胴する鏡筒内にレンズバリア機構を内蔵させ、使用時にバリア羽根を鏡筒のレンズ開口部以外の場所に退避させておき、沈胴時に羽根が閉じる鏡筒内バリア方式である。
【０００３】
また、従来のレンズバリア装置では、一方の第１及び第２のバリア羽根と、他方の第１及び第２のバリア羽根をそれぞれ、共通の軸回りに軸着し、開位置と閉位置との間で関連した移動動作を行うように構成する。そして、一方の同軸上に軸着された第１及び第２のバリア羽根が互いに重なり合って開位置に格納されると共に、他方の同軸上に軸着された第１及び第２のバリア羽根が互いに重なり合って開位置に格納されるように構成する。さらに、３つのバリア羽根を、金属製、モールド樹脂製及び金属製の順に重ねることにより、バリア羽根の枚数の増加による光軸方向寸法の増加を抑えた鏡筒内レンズバリア機構が提案されている（例えば、特許文献１参照）。
【先行技術文献】
【特許文献】
【０００４】
【特許文献１】特開２００７−１０２０８６号公報
【発明の概要】
【発明が解決しようとする課題】
【０００５】
このようなレンズバリア装置では、同軸上に軸着された第１のバリア羽根と第２のバリア羽根とが互いに異なる付勢部材の付勢力で動作される。また、このようなレンズバリア装置では、第１のバリア羽根の閉動作の一部で第２のバリア羽根を移動させることを引き金にして第２のバリア羽根が自動的に閉動作を行うように構成することが考えられる。このように構成した場合には、開状態から閉状態への動作時に、付勢部材で間接的に付勢された第２のバリア羽根が閉じきる際に互いに勢いがついて衝突し、衝突音が発生することがあった。しかし、このようなレンズバリア装置では、第２のバリア羽根が付勢部材で間接的に付勢される機構で動作するので、この付勢部材の付勢力を制御して、衝突音の発生を抑制することが困難である。
【０００６】
本発明の目的は、バリア羽根が閉じきる際に発生する衝突音を抑制できるレンズバリア装置を提供することにある。
【課題を解決するための手段】
【０００７】
上記目的を達成するために、請求項１記載のレンズバリア装置は、レンズ前面の開口部を開閉可能に塞ぐための第１のバリア羽根、第２のバリア羽根及び第３のバリア羽根を備えたレンズバリア装置において、前記第１のバリア羽根を、第１の付勢部材で閉じるように付勢し、前記第１のバリア羽根と、前記レンズ前面の開口部に回転可能に取り付けられたバリア駆動部材との間に構成された開閉操係止機構により、当該バリア駆動部材の回転動作に連動して前記第１のバリア羽根を開動作させるように構成し、前記第１のバリア羽根の光軸方向に隣接して、前記第２のバリア羽根を配置し、前記第２のバリア羽根の外形に沿った外側端辺部分に、前記第３のバリア羽根の外形に沿った内側端辺部分が摺接するように配置し、前記第３のバリア羽根を第２の付勢部材で閉じるように付勢することによって、当該第２の付勢部材が間接的に前記第２のバリア羽根を閉じるように付勢し、前記第２の付勢部材と、前記バリア駆動部材との間に構成された開閉制御用のカム機構により、当該バリア駆動部材の回転動作に連動して前記第２の付勢部材と前記第３のバリア羽根とを開動作させるように構成したことを特徴とする。
【発明の効果】
【０００８】
本発明によれば、閉動作時にバリア羽根の挙動を制御することで、バリア羽根が閉じきる際に発生する衝突音を抑制したレンズバリア装置を提供できるという効果がある。
【図面の簡単な説明】
【０００９】
【図１】本発明の実施の形態に係わるカメラ等のレンズを保護するレンズバリア装置の分解斜視図である。
【図２】本実施の形態に係わるレンズバリア装置を保護するキャップ及びバリアカバーを取り外した１群鏡筒のバリア羽根の開状態を示す正面図である。
【図３】本実施の形態に係わるレンズバリア装置を保護するキャップ及びバリアカバーを取り外した１群鏡筒のバリア羽根の閉状態を示す正面図である。
【図４】本実施の形態に係わるレンズバリア装置における駆動部材に設置したカム溝と、それと組み合うピンの開閉動作に伴う軌道を示す説明図である。
【発明を実施するための形態】
【００１０】
以下、本発明の実施の形態に係わるカメラのレンズを保護するために装着されるレンズバリア装置について、図１乃至図４を参照して説明する。
【００１１】
本実施の形態に係わるレンズバリア装置は、撮像装置の沈胴式レンズ鏡筒に設けられた鏡筒内レンズバリア装置として利用可能に構成されている。
【００１２】
図１において、１は１群筒、２はバリア駆動環（バリア駆動部材）、３はコイルスプリング、４は一対のバリア内羽根、５は一対のバリア外羽根、６はトーションスプリング、７は一対のバリア小羽根、８はバリアカバーである。
【００１３】
このレンズバリア装置では、第１鏡筒１の被写体側に、バリア駆動環２を所定角度回転可能に装着する。さらに、バリア駆動環２の被写体側には、順に、一対のバリア内羽根４、一対のバリア外羽根５及び一対のバリア小羽根７、バリアカバー８、カバー部材９を配置して構成する。
【００１４】
この１群筒１は、レンズ鏡筒内に収容された撮影光学系のうち最も被写体側に配置されたレンズユニットを保持するための鏡筒部材である。
【００１５】
この第１鏡筒１の光軸方向における被写体側（物体側又は前側）端部には、バリア駆動環２を、バヨネット構造によって装着する。すなわち、バリア駆動環２は、周方向の４箇所から径方向外方に突出するフランジ部を第１鏡筒１の４箇所に設けられたバヨネット爪部に係合するバヨネット構造によって、第１鏡筒１に取り付けられる。
【００１６】
これと共に、バリア駆動環２は、第１鏡筒１に対して、光軸回りに所定角度の範囲内で回転可能となるように装着する。このため、図示しないが、バリア駆動環２は、その周方向４箇所に形成された突起部を、第１鏡筒１に形成された円弧溝部に挿入して、円弧溝部の径方向外側の内周面に当接させる（径嵌合させる）ことにより装着する。
【００１７】
このバリア駆動環２には、バリアカバー８に形成された略矩形のカバー開口部８１に対応した、略矩形の開口部２１を形成する。
【００１８】
これらバリア駆動環２の開口部２１とバリアカバー８のカバー開口部８１とは、レンズユニットの前面における有効開口領域（撮像に有効な光束が入射する領域）に対応した大きさを持つ略矩形の開口に形成する。これによりバリア駆動環２には、開口部２１の径方向外側に円弧状の平板面である遮光部２２が形成される。
【００１９】
バリア駆動環２の開口部２１とバリアカバー８のカバー開口部８１との間には、閉じ状態でレンズ前面の開口部を塞いで保護するための一対のバリア内羽根４、一対のバリア外羽根５及び一対のバリア小羽根７を配置する。
【００２０】
このバリア駆動環２の被写体側には、第１のバリア羽根である一対のバリア内羽根４を配置する。この一対のバリア内羽根４は、それぞれの基端部に設けた軸部を第１鏡筒１の軸受部に軸着することによって、図２に示す開位置と図３に示す閉位置との間で回動して開閉可能なように取り付けられている。
【００２１】
これら第１のバリア羽根である一対のバリア内羽根４は、それぞれバリア駆動環２の回転動作に連動して開閉操作されるよう構成されている。
【００２２】
このため、一対のバリア内羽根４の基端部には、軸部から延出するアーム部を設け、このアーム部と第１鏡筒１との間に引張コイルばねであるコイルスプリング３（第１の付勢部材）を架設する。これら一対のバリア内羽根４は、それぞれコイルスプリング３（第１の付勢部材）によって、閉状態となるように付勢されている。
【００２３】
このレンズバリア装置では、バリア駆動環２の回転動作に連動して、一対のバリア内羽根４を開動作させるため、バリア駆動環２とバリア内羽根４との間に、開閉操係止機構を設ける。この開閉操係止機構を構成するため、一対のバリア内羽根４の基端部に設けたアーム部の先端には、それぞれ係止突起（不図示）を設ける。また、この開閉操係止機構を構成するため、バリア駆動環２の所定位置には、各バリア内羽根４の係止突起に当接可能に対応した、操作突部（不図示）を設ける。そして、このレンズバリア装置では、回動操作されたバリア駆動環２の操作突部が、各バリア内羽根４の係止突起に当たり、コイルスプリング３の付勢力に抗して一対のバリア内羽根４を開状態とするように開閉操係止機構を構成する。
【００２４】
このように構成された一対のバリア内羽根４の被写体側には、第２のバリア羽根である一対のバリア外羽根５及び第３のバリア羽根である一対のバリア小羽根７を配置する。
【００２５】
これら一対のバリア外羽根５は、それぞれの基端部に設けた軸支部を、対応する一対のバリア内羽根４基端部の軸部と同軸上に軸着して、図２に示す開位置と図３に示す閉位置との間で回動して開閉可能なように取り付けられている。
【００２６】
これにより第２のバリア羽根である一対のバリア外羽根５は、閉状態となったときに、それぞれ対応する一対のバリア内羽根４と側平面同士が隣接して重なる状態となる。
【００２７】
図１乃至図３に示すように、第２のバリア羽根である各バリア外羽根５の自由端側の外形に沿った端辺部分に隣接した位置には、各々対応する第３のバリア羽根であるバリア小羽根７を配置する。すなわち、バリア外羽根５の外形に沿った外側端辺部分に、バリア小羽根７の外形に沿った内側端辺部分が摺接するように配置する。
【００２８】
この第３のバリア羽根である一対のバリア小羽根７は、それぞれの基端部を１群筒１の所定位置に軸着して配置されている。さらに、一対のバリア外羽根５と一対のバリア小羽根７とは、同一平面内で開閉動作を行うように構成されている。
【００２９】
さらに、各バリア小羽根７の基端部と、１群筒１との間には、それぞれ第２の付勢部材であるトーションスプリング６を架設し、各バリア小羽根７が常に閉じ方向に付勢されるように構成されている。
【００３０】
また、各バリア外羽根５の自由端側の外周辺部には、各々対応するバリア小羽根７の自由端側の内周辺部が、第２の付勢部材であるトーションスプリング６の付勢力で圧接されるように構成されている。
【００３１】
これにより各バリア外羽根５は、各々対応するバリア小羽根７を介して作用するトーションスプリング６の付勢力により、常に閉じ方向に付勢されるように構成されている。
【００３２】
このため、一対のバリア小羽根７は、一対のバリア外羽根５と連動して開閉動作を行うことになる。すなわち、一対のバリア小羽根７は、閉じる際に各々対応するバリア外羽根５に追従して閉じ、逆に開く際に各々対応するバリア外羽根５に押し開けられるように構成されている。
【００３３】
また、このレンズバリア装置は、直接的に付勢する部材を持たないバリア外羽根５の開閉動作を、バリア駆動環２の動作によって制御する、開閉制御用のカム機構（開閉制御機構）を備える。
【００３４】
このバリア羽根の挙動を制御する機構としての開閉制御用のカム機構は、バリア駆動環２に設けられた開閉操作用カム溝２ａと、各バリア外羽根５に突設された従動子としての従動ピン５ａとを備える。
【００３５】
図１乃至図３に示すように、開閉操作用カム溝２ａは、バリア駆動環２の遮光部２２の所定位置に設ける。この開閉操作用カム溝２ａは、遮光部２２の平面上に変形Ｕ字状のリブを突設して形成する。
【００３６】
この開閉操作用カム溝２ａは、バリア駆動環２の回転中心から外周にかけて渦巻き線の一部を成す滑らかな曲線に形成された第１のカム辺２００と、第２のカム辺２０１とを、所定間隔を開けて略平行に配置して構成する。さらに、この開閉操作用カム溝２ａでは、第１のカム辺２００と、第２のカム辺２０１との中心側端部間を底辺部で繋いだ形状に形成されている。また、この第１のカム辺２００の自由端部には、バリア駆動環２の円周方向に延びる延長ガイド端部２０２が形成されている。
【００３７】
このように構成された開閉操作用カム溝２ａで囲まれた変形Ｕ字状の空間内部には、各々対応するバリア外羽根５の従動ピン５ａを遊挿して、開閉制御用のカム機構を構成する。
【００３８】
次に、上述のように構成したレンズバリア装置における開閉動作について説明する。
【００３９】
このレンズバリア装置では、図２に示す開状態において、バリア駆動環２が開位置へ回転駆動されることにより、バリア駆動環２の操作突部（不図示）がバリア内羽根４の係止突起（不図示）に当接して、一対のバリア内羽根４を開状態に保持している。この開状態では、コイルスプリング３（第１の付勢部材）の付勢力がバリア内羽根４の係止突起からバリア駆動環２の操作突部に働いているので、バリア駆動環２を制止することにより、開状態を維持するよう構成されている。
【００４０】
また、このレンズバリア装置では、図２に示す開状態において、バリア駆動環２における開閉操作用カム溝２ａの延長ガイド端部２０２が、従動ピン５ａに当接することによって一対のバリア外羽根５を開状態に保持している。
【００４１】
この開状態では、第２の付勢部材であるトーションスプリング６の付勢力がバリア小羽根７を介してバリア外羽根５を基端部の軸着部を中心に回転して閉じる方向に働いている。このため、バリア外羽根５の従動ピン５ａが延長ガイド端部２０２に圧接する方向は、略バリア駆動環２の回転中心方向に向くことになる。ここで、延長ガイド端部２０２は、バリア駆動環２の円周方向に沿うように形成されているので、バリア外羽根５の従動ピン５ａが延長ガイド端部２０２に及ぼす力が、延長ガイド端部２０２に直交する方向となる。よって、この開状態では、トーションスプリング６がバリア小羽根７及びバリア外羽根５を介してバリア駆動環２に与える付勢力が、バリア駆動環２を回転させる方向に働かないので、バリア駆動環２を開状態に保持するための力を低減できる。
【００４２】
次に、図２に示す開状態から図３に示す閉状態へ移行する場合について説明する。この閉状態へ移行する場合には、バリア駆動環２を図２の矢印Ａ方向へ回転駆動する。すると、トーションスプリング６の付勢力を受けたバリア外羽根５の従動ピン５ａは、開閉操作用カム溝２ａの延長ガイド端部２０２から第１のカム辺２００側へガイドされて移動する。すなわち、このバリア外羽根５の従動ピン５ａは、延長ガイド端部２０２と第１のカム辺２００とにガイドされて、図４に示す軌道を描いて従動する。この従動ピン５ａの動作に追従して、バリア外羽根５とバリア小羽根７とは、それぞれの軸着部を軸に回転して、図３に示す閉状態へ移行する。
【００４３】
この閉状態へ移行する動作は、バリア外羽根５の従動ピン５ａが第１のカム辺２００上を摺動しながら行われるので、トーションスプリング６の付勢力が第１のカム辺２００で受けられることになる。よって、トーションスプリング６の付勢力を間接的に受けるバリア外羽根５は、バリア駆動環２の回転動作に同期してゆっくりと回転しながら閉じる。このため、このレンズバリア装置では、閉動作時に、一対のバリア外羽根５同士が衝突して衝突音を発生することを抑制できる。
【００４４】
なお、この閉状態へ移行する動作では、一対のバリア外羽根５が閉じた状態となってからさらにバリア駆動環２が回転駆動されて図３の状態となる。この図３の状態では、従動ピン５ａが開閉操作用カム溝２ａの変形Ｕ字状の内部中間に遊置された状態であるので、一対のバリア外羽根５は、トーションスプリング６の間接的な付勢力によって閉じた状態を保持する。また、この閉状態では、従動ピン５ａが開閉操作用カム溝２ａの変形Ｕ字状の内部中間に遊置された状態にあり、従動ピン５ａが第２のカム辺２０１に制止されるまでに、十分な逃げのスペースが確保されている。このため、バリア外羽根５を押し開けようとする外力が加わった場合には、一対のバリア外羽根５が若干開いて、過度な外力がバリア外羽根５及びバリア小羽根７に加わるのを避けることができる。
【００４５】
また、一対のバリア内羽根４が閉状態へ移行する動作では、バリア駆動環２の操作突部がバリア内羽根４の係止突起に当接してコイルスプリング３（第１の付勢部材）の付勢力を受けている。このため、一対のバリア内羽根４の開動作は、バリア駆動環２の回転動作に追従してゆっくりと閉じる。よって、このレンズバリア装置では、閉動作時に、一対のバリア内羽根４同士が衝突して衝突音を発生することを抑制できる。
【００４６】
上述のように、このレンズバリア装置では、カム溝２ａとピン５ａとによるカム機構により、直接的に付勢する部材を持たないバリア外羽根５の開閉動作を、バリア駆動環２の動作によって制御することが可能に構成されている。すなわち、このレンズバリア装置では、直接的に付勢する部材を持たないバリア外羽根５の開閉動作を、バリア駆動環２の動作によって制御することで、衝突による音の発生を抑制するように構成されている。
【００４７】
よって、このレンズバリア装置では、バリア外羽根５の開閉動作を、バリア駆動環２の動作によって制御することで、一対のバリア外羽根５が閉じ終えるときに、衝突による音が発生することを抑制することができる。
【００４８】
なお、本発明は上述した実施の形態に限定されるものではなく、本発明の要旨を逸脱しない範囲において、その他、種々の構成を採り得ることは勿論である。
【００４９】
例えば、上述した実施の形態では、デジタルカメラに用いるバリア機構について説明した。しかし、本発明は、これに限定されず、銀塩カメラやビデオカメラ、カメラ機能付携帯機器、その他の光学機器や光学機器を含む装置に用いられるバリア機構に適用してもよい。
【符号の説明】
【００５０】
１      群筒
２      駆動環
２ａ    カム溝
３      コイルスプリング
４      バリア内羽根
５      バリア外羽根
５ａ    ピン
６      トーションスプリング
７      バリア小羽根
【図１】
2010277026.tif 000003
【図２】
2010277026.tif 000004
【図３】
2010277026.tif 000005
【図４】
2010277026.tif 000006